(57)【要約】【課題】コンテナターミナルの各作業プロセスにおける作業実績を、時間情報で整理してユーザに提示する。【解決手段】  入場受付作業の開始日時ｔａ、入場受付作業の終了時刻ｔｂ、荷役作業の終了時刻ｔｃ、退場受付作業の開始時刻ｔｄ、及び退場受付作業の終了時刻ｔｅとからなる時間情報と、入口ゲートのレーン番号１０１、荷役作業の種類１０２、コンテナ番号１０３、プラカード番号１０４、トラック番号１０５、出口ゲートのレーン番号１０６等により構成されているログファイル１００を利用して、入口ゲートプロセス、ヤードプロセス、出口ゲートプロセスの各作業プロセスにおける作業実績を、荷役作業の種類１０２別に集計する。【選択図】  図４
2005060077.tif 000002
【特許請求の範囲】
【請求項１】
コンテナ輸送機がコンテナターミナルに入場する際に入口ゲートで行われる入場受付作業と、コンテナターミナル内のヤードで荷役装置により行われる荷役作業と、コンテナ輸送機がコンテナターミナルから退場する際に出口ゲートで行われる退場受付作業に関する情報がホストコンピュータに入力され、該ホストコンピュータが前記入力された情報に基づいて作成し記録したログファイルを、該ホストコンピュータに接続される端末のコンピュータに読み込んで前記各作業の処理個数及び処理時間を集計させ、この集計結果を前記端末のコンピュータに接続される出力手段に出力するためのヤード・ゲート実績集計プログラムであって、
前記ログファイルは、少なくとも、前記入場受付作業の開始日時及び終了時刻、前記荷役作業の終了時刻、並びに、前記退場受付作業の開始時刻及び終了時刻とからなる時間情報と、実コンテナ搬入作業、実コンテナ搬出作業、空コンテナ搬入作業、空コンテナ搬出作業とからなる荷役作業の種類に関する情報とを有し、
コンテナターミナルの管理者が、集計条件を前記端末のコンピュータに入力する入力処理手順と、
前記入力処理手順により入力された集計条件に基づいて前記ホストコンピュータに記憶されているログファイルから該当するデータを読み込むデータ読み込み処理手順と、
前記データ読み込み処理手順により読み込まれたデータに基づいて、前記入場受付作業及び前記退場受付作業が終了した処理個数を前記荷役作業の種類毎に演算し、この処理個数と前記により読み込まれたデータに含まれる前記時間情報に基づいて、前記荷役作業の種類毎に前記入場受付及び前記退場受付における一作業当たりの処理時間を集計するゲート能力集計手順と、
前記データ読み込み処理手順により読み込まれたデータに基づいて、前記荷役作業が終了した処理個数を前記荷役作業の種類毎に演算し、この処理個数と前記により読み込まれたデータに含まれる前記時間情報に基づいて、前記荷役作業の種類毎にヤードにおける一作業当たりの処理時間を集計するヤード能力集計手順と、
前記各集計手順により集計された結果を前記出力手段に出力する出力手順と、
を前記端末のコンピュータに実行させることを特徴とするヤード・ゲート管理プログラム。
【請求項２】
前記データ読み込み処理手順により読み込まれたデータに基づいて、前記荷役作業の種類毎に、コンテナ輸送機がコンテナターミナルに入場してから退場するまでに要した時間の１日の累積を集計するターミナル作業時間集計手順を有することを特徴とする請求項１に記載のヤード・ゲート管理プログラム。
【請求項３】
前記ログファイルは、入口ゲート及び出口ゲートのレーン番号に関する情報をさらに有し、
前記データ読み込み処理手順により読み込まれたデータに基づいて、レーン毎に、入口ゲートと出口ゲートの稼働時間を集計するゲート稼動時間集計手順を有することを特徴とする請求項１又は請求項２いずれかに記載のヤード・ゲート管理プログラム。
【請求項４】
前記データ読み込み処理手順により読み込まれたデータに基づいて、前記入場受付作業及び前記退場受付作業が終了した処理個数を前記入口ゲート及び前記出口ゲートのレーン毎に演算し、この処理個数と前記ゲート稼動時間集計手順の結果に基づいて、レーン毎の単位時間当たり処理個数を演算するゲート生産性集計手順を有すること特徴とする請求項３に記載のヤード・ゲート管理プログラム。
【発明の詳細な説明】
【技術分野】
【０００１】
本発明は、コンテナターミナルの各作業プロセスにおける処理個数や処理時間を集計するプログラムに関する。
【背景技術】
【０００２】
コンテナターミナルは、コンテナターミナル内に入場するトラックが受付等する入口ゲート、荷役装置によりコンテナの荷役作業が行われるヤード、コンテナターミナルから退場するトラックが受付等する出口ゲート等を備えており、広大な敷地面積を有している。また、コンテナターミナル内で行われる作業プロセスには、入口ゲートの入場受付で行われる入場受付作業、ヤード内で行われる荷役作業、出口ゲートの退場受付で行われる退場受付作業等があり、各作業プロセスで行われる処理個数は膨大なものとなる。このため、従来から、コンテナターミナル内のコンテナを管理するために、例えば、行方不明になったコンテナを検索するための検索装置や（例えば、特許文献１参照）、コンテナターミナルに搬入、又はコンテナターミナルから搬出されるコンテナの保管位置等の在庫データを管理するためのコンテナ管理システムが提案されている（例えば、特許文献２参照）。特許文献２に記載のコンテナ管理システムにおいては、コンテナに付されたコンテナ識別コードを読み取る手段と、荷役されるコンテナの位置を検知する手段とを備えた荷役装置を用いることによりコンテナターミナルにおけるコンテナの在庫データを自動的に更新して、在庫データをリアルタイムに管理することができる。
【０００３】
また、コンテナターミナルの入場受付では、搬入されるコンテナについてコンテナ番号や損傷状態等、複数の項目についてチェックが行われるが、バーコード等を利用したチェックシートを用いてコンテナのチェック結果を端末に入力することによりコンテナ搬入の受付作業の効率化を図るシステムが知られている（例えば、特許文献３参照）。
【特許文献１】特開平６−２４５２７号公報
【特許文献２】特許第３０８５４６８号公報
【特許文献３】特開２００２−６８４８０号公報
【発明の開示】
【発明が解決しようとする課題】
【０００４】
ところが、上記特許文献１乃至特許文献３に記載の発明を利用したコンテナ管理システムでは、各作業プロセスにおける作業情報をホストコンピュータに記憶して、コンテナの在庫データの管理等をすることができるものの、各作業プロセスにおける処理時間等の把握はできていなかった。そのため、システムに障害が発生した場合や運用サポートなど、時間情報が必要な保守を行うことが難しい状況であった。
【０００５】
ところで、コンテナターミナル内で行われる作業プロセスには、上述したように、入場受付作業、荷役作業、退場受付作業等があり、コンテナターミナルの作業実績を適切に解析するためには、作業プロセス毎に時間情報を解析する必要がある。
【０００６】
さらに、荷役作業は、通常、実コンテナについては実コンテナ置き場で作業が行われ、空コンテナについては空コンテナ置き場で作業が行われるため、荷役作業の種類によって作業する場所が異なり、荷役作業に用いられる荷役装置も異なる場合がある。また、コンテナターミナル内にコンテナが搬入される場合には、搬入されるコンテナを入場受付でチャックして損傷等がないか確認する必要がある一方、コンテナターミナルからコンテナを搬出する場合には、搬出されるコンテナを退場受付でチャックする必要があり、荷役作業の種類によって各ゲートの受付作業のチェック項目も変わってくる。このため、各作業プロセスの作業実績を正確に把握するためには、荷役作業の種類を考慮する必要がある。
【０００７】
また、入口ゲート及び出口ゲートで行われる入退場の受付は、複数のレーンを利用して行われるため、ゲートの作業実績を正確に把握して適切なゲート運用を行うためには、レーン毎に、ゲートの稼働時間や、ゲートの単位時間当たりの処理個数を把握することが好ましい。
【０００８】
本発明は、上記課題を解決するためになされたものであり、コンテナターミナルの各作業プロセスにおける作業実績を、時間情報で整理してユーザに提示するためのプログラムを提供することを目的とする。
【課題を解決するための手段】
【０００９】
上記目的を達成するために請求項１の発明は、コンテナ輸送機がコンテナターミナルに入場する際に入口ゲートで行われる入場受付作業と、コンテナターミナル内のヤードで荷役装置により行われる荷役作業と、コンテナ輸送機がコンテナターミナルから退場する際に出口ゲートで行われる退場受付作業に関する情報がホストコンピュータに入力され、該ホストコンピュータが前記入力された情報に基づいて作成し記録したログファイルを、該ホストコンピュータに接続される端末のコンピュータに読み込んで前記各作業の処理個数及び処理時間を集計させ、この集計結果を前記端末のコンピュータに接続される出力手段に出力するためのヤード・ゲート実績集計プログラムであって、前記ログファイルは、少なくとも、前記入場受付作業の開始日時及び終了時刻、前記荷役作業の終了時刻、並びに、前記退場受付作業の開始時刻及び終了時刻とからなる時間情報と、実コンテナ搬入作業、実コンテナ搬出作業、空コンテナ搬入作業、空コンテナ搬出作業とからなる荷役作業の種類に関する情報とを有し、コンテナターミナルの管理者が、集計条件を前記端末のコンピュータに入力する入力処理手順と、前記入力処理手順により入力された集計条件に基づいて前記ホストコンピュータに記憶されているログファイルから該当するデータを読み込むデータ読み込み処理手順と、前記データ読み込み処理手順により読み込まれたデータに基づいて、前記入場受付作業及び前記退場受付作業が終了した処理個数を前記荷役作業の種類毎に演算し、この処理個数と前記により読み込まれたデータに含まれる前記時間情報に基づいて、前記荷役作業の種類毎に前記入場受付及び前記退場受付における一作業当たりの処理時間を集計するゲート能力集計手順と、前記データ読み込み処理手順により読み込まれたデータに基づいて、前記荷役作業が終了した処理個数を前記荷役作業の種類毎に演算し、この処理個数と前記により読み込まれたデータに含まれる前記時間情報に基づいて、前記荷役作業の種類毎にヤードにおける一作業当たりの処理時間を集計するヤード能力集計手順と、前記各集計手順により集計された結果を前記出力手段に出力する出力手順と、
を前記端末のコンピュータに実行させることを特徴とする。
【００１０】
上記プログラムに基づいてホストコンピュータに接続されている端末のコンピュータを動作させることで、入力処理手順により入力された集計条件に基づいてホストコンピュータに記憶されているログファイルからデータを読み込み、ゲート能力集計手順とヤード能力集計手順により各作業プロセスにおける処理能力を荷役作業毎に集計する。そして、このように集計された結果を出力手段によりユーザに提示する。
【００１１】
請求項２の発明は、請求項１に記載の発明において、前記データ読み込み処理手順により読み込まれたデータに基づいて、前記荷役作業の種類毎に、コンテナ輸送機がコンテナターミナルに入場してから退場するまでに要した時間の１日の累積を集計するターミナル作業時間集計手順を有することを特徴とする。
【００１２】
上記プログラムに基づいてコンピュータを動作させることにより、ホストコンピュータに記憶されているログファイルからデータを読み込み、ターミナル作業時間集計手順により、コンテナ輸送機がコンテナターミナルに入場してから退場するまでに要した作業時間の１日の累積を荷役作業毎に集計する。そして、このように集計された結果を出力手段によりユーザに提示する。
【００１３】
請求項３の発明は、請求項１又は請求項２のいずれかに記載の発明において、前記ログファイルは、入口ゲート及び出口ゲートのレーン番号に関する情報をさらに有し、前記データ読み込み処理手順により読み込まれたデータに基づいて、レーン毎に、入口ゲートと出口ゲートの稼働時間を集計するゲート稼動時間集計手順を有することを特徴とする。
【００１４】
上記プログラムに基づいてコンピュータを動作させることにより、ホストコンピュータに記憶されているログファイルからデータを読み込み、ゲート稼働時間集計手順により、レーン毎にゲートの稼働時間を集計する。そして、このように集計された結果を出力手段によりユーザに提示する。
【００１５】
請求項４の発明は、請求項３に記載の発明において、前記データ読み込み処理手順により読み込まれたデータに基づいて、前記入場受付作業及び前記退場受付作業が終了した処理個数を前記入口ゲート及び前記出口ゲートのレーン毎に演算し、この処理個数と前記ゲート稼動時間集計手順の結果に基づいて、レーン毎の単位時間当たり処理個数を演算するゲート生産性集計手順を有すること特徴とする。
【００１６】
上記プログラムに基づいてコンピュータを動作させることにより、ホストコンピュータに記憶されているログファイルからデータを読み込み、ゲート生産性集計手順により、レーン毎にゲートの単位時間当たりの作業処理個数を集計する。そして、このように集計された結果を出力手段によりユーザに提示する。
【発明の効果】
【００１７】
以上のように請求項１に記載の発明によれば、ゲート能力集計手順及びヤード能力集計手順によりコンテナターミナルの各作業プロセスにおける処理能力が、荷役作業の種類毎に整理してユーザに提示される。このため、ターミナル管理者は、各作業プロセスの処理能力を荷役作業の種類毎に把握することができ、各作業プロセスの作業実績を正確に把握することが可能となる。さらに、ターミナル管理者は、得られた集計結果を基にしてコンテナターミナルの運用方法を改善することができ、また、コンテナターミナルでトラブルが生じた場合であっても、集計結果を基に指示が出せるため、効率的な保守管理を行うことができる。
【００１８】
また、集計処理の基礎となるデータとしてログファイルを用いることにより、集計処理に必要なデータを別途取得する必要がなく、容易にコンテナターミナルのヤード・ゲートの作業実績を集計することができる。
【００１９】
請求項２の発明によれば、ターミナル作業時間集計手順により、コンテナ輸送機がコンテナターミナルに入場してから退場するまでに要した作業時間の１日の累積が、荷役作業の種類毎に整理してユーザに提示される。このため、ターミナル管理者は、各荷役作業について、どのくらい作業時間が費やされているのかが分かるので、コンテナターミナルの効率的な保守管理を行うことができる。また、ターミナル作業時間集計手順の集計結果と、ゲート能力集計手順、ヤード能力集計手順の集計結果を合わせて解析することにより、コンテナターミナルの作業実績をより正確に把握することが可能となる。
【００２０】
請求項３の発明によれば、ゲート稼働時間集計手順により、入口ゲートと出口ゲートの1日の稼働時間が、レーン毎に整理してユーザに提示される。このため、ターミナル管理者は、ゲートの稼動状況について正確に把握することができるので、得られた集計結果を基に適切なゲート運営を行うことができる。また、ゲート稼働時間集計結果と、他の集計結果を合わせて解析することにより、コンテナターミナルの作業実績をより正確に把握することが可能となる。
【００２１】
請求項４の発明によれば、ゲート生産性集計手順により、ゲートの単位時間当たりの受付作業の処理個数が、レーン毎に整理してユーザに提示される。このため、ターミナル管理者は、ゲートの稼動状況について正確に把握することができるので、得られた集計結果を基に適切なゲート運営を行うことができる。
【発明を実施するための最良の形態】
【００２２】
以下、本発明を具体化した実施形態について図面を参照して説明する。図１に示されるように、コンテナターミナル１は、入口ゲート２、ヤード３、出口ゲート４とターミナル管理室５を備えている。入口ゲート２は、第１乃至第５レーンの５つのレーンＬ１〜Ｌ５を備えている。各レーンＬ１〜Ｌ５は、コンテナターミナル１内に入場するトラック（コンテナ輸送機）Ｔの受付をする入場受付２０と、受付が終了していないトラックＴのゲート通過を阻止する遮断機２２とを有している。また、入場受付２０には、受付作業の際に各種データを入力する入場受付端末２１（図２参照）と機器引受け引渡し書（Ｅｑｕｉｐｍｅｎｔ  Ｉｎｔｅｒｃｈａｎｇｅ  Ｒｅｃｅｉｐｔ：以下、ＥＩＲという）を印刷するＥＩＲ印刷機が設置されている。ＥＩＲ印刷機は入場受付作業の終了時に、ＥＩＲを印刷する。
【００２３】
次に、ヤード３について説明する。トラックＴにより搬入又は搬出されるコンテナＣは、大きく分けて実コンテナＣ１と空コンテナＣ２の２種類からなり、ヤード３は、実コンテナＣ１を入庫しておく実コンテナ置き場３ａと、空コンテナＣ２を入庫しておく空コンテナ置き場３ｂとを有している。実コンテナ置き場３ａでは、ガントリクレーン（荷役装置）６が実コンテナＣ１について荷役作業を行っており、空コンテナ置き場３ｂでは、大型フォークリフト（荷役装置）７が空コンテナＣ２について荷役作業を行っている。
【００２４】
出口ゲート４は、第６乃至第９レーンの４つのレーンＬ６〜Ｌ９を備えている。各レーンＬ６〜Ｌ９は、コンテナターミナル１から退場するトラックＴの受付をする退場受付４０と、受付が終了していないトラックＴのゲート通過を阻止する遮断機４２とを有している。また、退場受付４０には、退場受付端末４１（図２参照）とＥＩＲ印刷機が設置されている。ＥＩＲ印刷機は、コンテナＣが搬出される場合についてのみ退場受付作業の終了時に、ＥＩＲを印刷する。
【００２５】
ターミナル管理室５には、ホストコンピュータ５０と、ヤード３内の各荷役装置６，７の作業情報が入力される荷役作業端末３１、コンテナターミナル１の管理者が操作する管理者端末（端末のコンピュータ）５１、プリンタ（出力手段）５２などが設置されている。ホストコンピュータ５０は、コンテナ管理システム１０全体を管理しており、図２に示されるように、ターミナル管理室５に設置された荷役作業端末３１、管理者端末５１、プリンタ５２、入場受付２０に設置された入場受付端末２１、及び退場受付４０に設置された退場受付端末４１とＬＡＮ接続されている。コンテナ管理システム１０は、各作業端末２１,３１，４１から入力された情報に基づいて、コンテナターミナル１のコンテナＣの在庫やヤード３及びゲート２，４の作業実績等を管理するためのシステムである。
【００２６】
次に、コンテナ管理システム１０におけるログファイルの作成方法について、図１、図２に図３を加えて説明する。図３は、コンテナターミナル１における作業の時系列的な流れ、及び各作業端末２１，３１，４１から入力されるデータを示している。まず、コンテナＣがコンテナターミナル１から搬出される場合について、図３（ａ）を参照して説明する。トラックＴが、入口ゲート２の入場受付２０に到達すると入場受付作業が開始される。このとき、入場受付端末２１には、実コンテナＣ１の搬入、実コンテナＣ１の搬出、空コンテナＣ２の搬入、空コンテナＣ２の搬出（以下、それぞれ実搬入、実搬出、空搬入、空搬出という）からなる荷役作業の種類、コンテナ番号、トラック番号などが入力され、受付をしたレーン番号、受付日時ｔａ、プラカード番号等と共にホストコンピュータ５０に送信される。ここで、コンテナ番号とは、コンテナＣに付される英数字からなるコンテナ識別コードである。プラカード番号とは、荷役作業者が、作業を担当するコンテナＣ及びそれを運ぶトラックＴを容易に判別できるように、入場受付２０でトラックＴの運転者に渡されるプラカードの番号である。各種データの入力が終了すると、ＥＩＲが印刷され、入場受付作業が終了する。このとき、ＥＩＲが印刷された時刻ｔｂがホストコンピュータ５０に送信される。以下の説明においては、ＥＩＲ印刷時刻ｔｂを入場受付作業の終了時刻として説明する。入場受付作業が終了すると遮断機２２が開放され、トラックＴのヤード３内への進入が許可される。
【００２７】
入場受付作業が終了したトラックＴは、ゲート２を通過しヤード３内に入場する。ヤード３内に入場したトラックＴは、作業内容に応じて、それぞれ実コンテナ置き場３０ａ、あるいは、空コンテナ置き場３０ｂに移動し、荷役作業者は、プラカード番号を見て担当する作業か否か識別し、担当する作業であれば荷役作業を開始する。この際、実搬入、実搬出作業はガントリクレーン６により行われ、空搬入、空搬出作業は大型フォークリフト７により行われる。そして、荷役作業が終了すると、各荷役装置６，７のオペレータは、無線を使って作業の終了を荷役作業端末３１のオペレータに報告し、荷役作業の終了時刻ｔｃ等が荷役作業端末３１に入力される。なお、荷役作業の終了時刻ｔｃは、無線ＬＡＮ等を使って各荷役装置６，７から直接、ホストコンピュータ５０に送信されるようにしてもよい。
【００２８】
荷役作業が終了したトラックＴは、出口ゲート４まで移動する。退場受付４１では、搬出されるコンテナＣを確認するための受付作業が行われ、退場受付作業の開始時刻ｔｄがホストコンピュータ５０に送信され、記録される。そして、退場受付作業の終了後、ＥＩＲが印刷され、その時刻ｔｅがホストコンピュータ５０に送信される。以下の説明においては、ＥＩＲ印刷時刻ｔｅを退場受付作業の終了時刻として説明する。
【００２９】
次に、コンテナＣがコンテナターミナル１に搬入される場合について、図３（ｂ）を参照して説明する。入口ゲートプロセス及びヤードプロセスでは、上述した搬出作業の場合と同様の流れで搬入作業が進められ、各端末２１，３１，４１から入力された情報がホストコンピュータ５０に送信され、記録される。一方、出口ゲートプロセスでは、搬入作業の場合、退場受付作業は行われないため、トラックＴは受付作業をせずに出口ゲート４を経てコンテナターミナル１から退場する。このため、ＥＩＲは印刷されず、その時刻ｔｅもホストコンピュータ５０に送信されない。なお、本実施形態においては、コンテナＣの搬入作業について出口ゲート４で受付作業の時刻ｔｄ，ｔｅの記録を取らないようにしたが、受付作業の時刻ｔｄ，ｔｅの記録を取るようにし、これらを集計に用いてもよい。
【００３０】
ホストコンピュータ５０は、これら入場受付端末２１、荷役作業端末３１、退場受付端末４１の各端末から入力された情報を基にログファイルを作成し記録する。ログファイルは、例えば、システムにトラブルが生じた場合に原因を調査するためなどに用いられるが、本発明においては、ログファイルのデータを後述する集計処理に用いることにより、集計処理に必要なデータを別途取得する必要がなく、容易にコンテナターミナル１のヤード２、及びゲート３,４の作業実績を集計することができる。
【００３１】
次に、ホストコンピュータ５０によって作成されるログファイル１００について図４を参照して説明する。ログファイル１００は、入場受付作業の開始日時ｔａ、入場受付作業の終了時刻ｔｂ、荷役作業の終了時刻ｔｃ、退場受付作業の開始時刻ｔｄ、及び退場受付作業の終了時刻ｔｅとからなる時間情報と、入口ゲート２のレーン番号１０１、荷役作業の種類１０２、コンテナ番号１０３、プラカード番号１０４、トラック番号１０５、出口ゲート４のレーン番号１０６等により構成されている。図４では、これらのデータを、入口ゲートプロセス、ヤードプロセス、出口ゲートプロセスの各作業プロセスに分けて示してある。入口ゲートプロセスの作業種１０２に記入されている”１”は空搬入、”２”は実搬入、”５”は空搬出、”６”は実搬出を意味する。ヤードプロセスでは、荷役されるコンテナの種類Ｃ１，Ｃ２別に荷役作業終了時刻ｔｃが示してある。出口ゲートプロセスにおいては、コンテナＣの搬入作業では受付時刻ｔｄ，ｔｅが記録されないため空白になっている。
【００３２】
次に、本発明のヤード・ゲート実績集計プログラム７０がインストールされる管理者端末５１のハード構成について、図５を参照して説明する。管理者端末５１は、端末全体の制御を行うＣＰＵ６１と、ヤード・ゲート管理プログラム７０や各ファイルなどのデータを記憶したハードディスク６２と、端末５１の使用時に各種のプログラムやデータがローディングされるメモリ６３と、各種の指示を入力するためのマウス、キーボード等からなる操作部６４と、ＣＲＴ、液晶ディスプレイ等の表示部（出力手段）６５と、ホストコンピュータ５０との通信を行う際のデータ変換や通信制御を行う通信部６６とを有している。ハードディスク６２には、ヤード・ゲート実績集計プログラム７０の他、環境設定ファイル７１、集計結果中間ファイル７２、集計結果月間ファイル７３が格納されている。集計結果中間ファイル７２は、後述する各集計手順により、日毎に集計して得られた結果を記録したファイルであり、集計結果月間ファイル７３は、これら中間ファイル７２を月毎にまとめたファイルである。なお、ヤード・ゲート実績集計プログラム７０には、入手性や改造の容易さ等を考慮して汎用の表計算ソフトとこれに対応するマクロ言語を使用した。
【００３３】
次に、プログラム７０の各処理について説明する。図６は、プログラム７０を起動した際に表示部６５に表示されるメニュー画面１１０である。メニュー画面１１０は、集計メニュー（Ｃａｌｃｕｌａｔｉｏｎ）８１、集計結果読み込みメニュー（Ｌｏａｄ  Ｃａｌｃｕｌａｔｅｄ  Ｓｈｅｅｔ）８２、環境設定メニュー（Ｅｎｖｉｒｏｎｍｅｎｔ）８３、及びプログラム終了メニュー（Ｑｕｉｔ）８４からなる。集計結果読み込みメニュー８２は、ターミナル作業時間及びゲート稼動時間の集計結果の項目（Ｔｅｒｍｉｎａｌ  Ｍｉｎｕｔｅｓ  ＆  Ｗｏｒｋ  Ｈｏｕｒｓ）８２ａ、ゲート生産性の集計結果の項目（Ｇａｔｅ  Ｐｒｏｄｕｃｔｉｖｉｔｙ）８２ｂ、ゲート処理能力の集計結果の項目（Ｇａｔｅ  Ｐｅｒｆｏｒｍａｎｃｅ）８２ｃ及びヤード処理能力の集計結果の項目（Ｙａｒｄ  Ｐｅｒｆｏｒｍａｎｃｅ）８２ｄで構成されている。管理者端末５１は、カーソル８５を使って選択された項目８２ａ〜８２ｄについて集計結果を表示部６５に表示する。
【００３４】
まず、ターミナル管理者により集計メニュー８１が選択された場合に、管理者端末５１により行われる処理について図７を参照して説明する。ターミナル管理者により集計メニュー８１が選択されると、予め環境設定メニュー８３で設定された環境設定が読み込まれる（＃１）。そして、ターミナル管理者により、集計を行いたい月などの集計条件が入力されると（＃２）、ホストコンピュータ５０から管理者端末５１に該当するログデータが読み込まれ（＃３）、1日毎に各集計手順に合わせて集計処理が行われる（＃４）。１日毎の集計処理が終わるとそれを中間ファイル７２としてハードディスク６２に保存する（＃５）。そして、集計条件として入力された月に該当する中間ファイル７２を読み込み（＃６）、月別の集計結果の一覧を作成し（＃７）、月間ファイル７３としてハードディスク６２に保存する（＃８）。
【００３５】
次に、ターミナル管理者により集計結果読み込みメニュー８２が選択された場合に行われる処理について図８を参照して説明する。管理者端末５１は、ターミナル管理者により集計メニュー８２の項目８２ａ〜８２ｄが選択されると（＃２１）、ハードディスク６２に保存されている月間ファイル７３から該当するファイルを検索し（＃２２）、検索されたファイルを表示部６５に表示する（＃２３）。ターミナル管理者は、表示されたファイルの中から希望するファイルを選択し（＃２４）、管理者端末５１は、選択されたファイルについて、表示部６５に集計結果を表示する（＃２５）。そして、ターミナル管理者からの印刷指示命令によって（＃２６）、プリンタ５２により集計結果を印刷する（＃２７）。  
【００３６】
次に、各集計処理の手順及びその集計結果について図９乃至図１７を参照して説明する。まず、ゲート能力集計手順について、図９を参照して説明する。ゲート能力集計手順では、入口ゲート２及び出口ゲート４の受付作業一件あたりの処理時間を、荷役作業の種類毎に演算する。管理者端末５１はプログラム７０に基づいて動作することにより、図７の＃３により読み込まれたログデータに基づいて、各荷役作業の種類別に、受付作業が完了した処理個数Ｎｐをカウントし（＃４１）、受付作業の開始時刻ｔａ，ｔｄと受付作業の終了時刻ｔｂ，ｔｅから各受付作業に要した処理時間ｔｇを演算する（＃４２）。そして、各受付作業に要した処理時間ｔｇを積算して1日あたりの受付作業の処理時間Ｔｇを求め（＃４３）、これを処理個数Ｎｐで割って、受付作業一件あたりの処理時間を演算する（＃４４）。
【００３７】
図１０は、ゲート能力集計手順により集計した結果を示しており、図１０（ａ）は、入口ゲート２及び出口ゲート４における受付作業の処理個数Ｎｐの集計結果を荷役作業の種類毎に示している。入口ゲート２においては、全ての荷役作業について受付処理が行われるので、実搬入、空搬入、実搬出及び空搬出の集計結果が表示されている。なお、本実施形態では、実搬出及び空搬出についてまとめて集計したがこれらを別々に集計しても構わない。出口ゲート４では、コンテナＣを搬出する場合についてのみ受付作業が行われるため、搬出の場合についてのみ受付作業の処理個数Ｎｐが集計されている。図１０（ｂ）は、入口ゲート２及び出口ゲート４における1日あたりの受付作業の処理時間Ｔｇの集計結果を、荷役作業別に示しており、図１０（ｃ）は、入口ゲート２及び出口ゲート３におけるゲート処理能力Ｇｐの集計結果を、荷役作業別に示している。
【００３８】
次に、ヤード能力集計手順について、図１１を参照して説明する。ヤード能力集計手順では、ヤード３での荷役作業一件あたりの処理時間を、荷役作業の種類毎に演算する。管理者端末５１はプログラム７０に基づいて動作することにより、ホストコンピュータ５０から読み込まれたログデータ１００に基づいて、各荷役作業の種類毎に、荷役作業が完了した処理個数Ｎｙをカウントし（＃６１）、入場受付作業の終了時刻ｔｂと荷役作業の終了時刻ｔｃから各荷役作業に要した処理時間ｔｙを演算する（＃６２）。そして、各荷役作業に要した処理時間ｔｙを積算して1日あたりの荷役作業の処理時間Ｔｙを求め（＃６３）、これを処理個数Ｎｙで割って、荷役作業一件あたりの処理時間を演算する（＃６４）。図１２は、このようにして集計された結果を示しており、荷役作業の種類毎に整理してヤード３での荷役作業一件あたりの処理時間を示している。
【００３９】
このように、ゲート能力集計手順及びヤード能力集計手順によりコンテナターミナル１の各作業プロセスにおける処理能力が、荷役作業の種類毎に整理してユーザに提示される。このため、ターミナル管理者は、各作業プロセスの処理能力を荷役作業の種類毎に把握することができ、各作業プロセスの作業実績を正確に把握することが可能となる。さらに、ターミナル管理者は、得られた集計結果を基にしてコンテナターミナル１の運用方法を改善することができ、また、コンテナターミナル１でトラブルが生じた場合であっても、集計結果を基に指示が出せるため、効率的な保守管理を行うことができる。
【００４０】
次に、ターミナル作業時間集計手順について図１３を参照して説明する。ターミナル作業時間集計手順では、各荷役作業の種類毎に、トラックＴがコンテナターミナル１内に入場してから退場するまでに要した作業時間の１日の累積を求める。管理者端末５１はプログラム７０に基づいて動作することにより、ホストコンピュータ５０から読み込まれたログデータ１００に基づいて、各トラックＴのコンテナターミナル１内での滞留時間ｔｍを計算する（＃８１）。この際、搬出作業の場合は、退場受付作業の終了時刻ｔｅから入場受付作業の開始時刻ｔａを引くことにより滞留時間ｔｍを求める。搬入作業の場合は、退場受付作業の終了時刻ｔｅがログデータにないため、荷役作業終了時刻ｔｃから入場受付作業の開始時刻ｔａを引き、これに値αを加える。値αは、荷役作業を終了したトラックＴが出口ゲート４を通過するまでに要する時間（図３参照）を経験に求めた値であり、ターミナル管理者が任意に設定する。そして、各荷役作業について、１日の累積時間を求め、ターミナル作業時間Ｔｍを集計する（＃８２）。図１４は、ターミナル作業時間集計手順及び後述するゲート稼働時間集計手順により集計された結果を示している。ターミナル作業時間の集計結果の項目１４１は、トラックＴがコンテナターミナル１内に入場してから退場するまでに要した作業時間の１日の累積を、各荷役作業の種類毎に整理して示している。
【００４１】
このように、ターミナル作業時間Ｔｍを集計することで、荷役作業の種類毎に、トラックＴがコンテナターミナル１に入場してから退場まで要した作業時間の１日の累積時間がユーザに提示される。このため、ターミナル管理者は、各荷役作業について、どのくらい作業時間を費やしているのかがわかるので、コンテナターミナル１の効率的な保守管理を行うことができる。また、ターミナル作業時間集計手順の集計結果と、ゲート能力集計手順、ヤード能力集計手順の集計結果を合わせて解析することにより、コンテナターミナル１の作業実績をより正確に把握することが可能となる。
【００４２】
次に、ゲート稼働時間集計手順について図１５を参照して説明する。ゲート稼働時間集計手順では、レーン毎に入口ゲート２と出口ゲート４の1日の稼働時間を集計する。管理者端末５１はプログラム７０に基づいて動作することにより、ホストコンピュータ５０から読み込まれたログデータ１００に基づいて、各レーン毎に、ゲートの稼働時間を集計する。ゲートの稼働時間は一日の最後の作業終了時刻ｔｃｎ，ｔｅｎから一日の最初の受付開始時刻ｔａ１，ｔｄ１を引くことにより求められる。ここで、搬入作業については（＃１０１でＹＥＳ）、出口ゲート４の受付作業に関する時刻ｔｄ，ｔｅがログデータとして存在しないので、荷役作業の終了時刻ｔｃが一日の最後の作業終了時刻として用いられ、ゲート稼働時間が演算される（＃１０２）。搬出作業については（＃１０１でＮＯ）、出口ゲート４のＥＩＲ印刷時刻ｔｅがログデータとして存在するので、ＥＩＲ印刷時刻ｔｅが一日の最後の作業終了時刻として用いられ、ゲート稼働時間が演算される（＃１０３）。図１４のゲート稼働時間の項目１４２は、このようにして集計された結果を示しており、レーン毎に集計したゲートの稼働時間が示されている。
【００４３】
このように、ゲート稼働時間を集計することで、ゲート２，４の稼働時間がレーン毎に整理してユーザに提示される。このため、ターミナル管理者は、ゲートの稼動状況について正確に把握することができるので、得られた集計結果を基に適切なゲート運営を行うことができる。また、ゲート稼働時間集計結果と、他の集計結果を合わせて解析することにより、コンテナターミナルの作業実績をより正確に把握することが可能となる。
【００４４】
次に、ゲート生産性集計手順について、図１６を参照して説明する。ゲート生産性集計手順においては、レーン毎に、単位時間当たりの受付作業の処理個数を集計する。管理者端末５１はプログラム７０に基づいて動作することにより、ホストコンピュータ５０から読み込まれたログデータ１００に基づいて、各レーン毎に、受付作業が完了した処理個数Ｎｌをカウントし（＃１２１）、ゲート稼働時間Ｗｈを演算する（＃１２２）。そして、処理個数Ｎｌをゲート稼働時間Ｗｈで割って、単位時間当たりの受付作業の処理個数を演算する（＃１２３）。
【００４５】
図１７（ａ），（ｂ），（ｃ）には、ゲート生産性集計手順により集計されたゲート２，４の稼働時間Ｗｈ、受付作業の処理個数Ｎｌ、ゲート生産性Ｇｐがそれぞれレーン毎に整理して示されている。これらの集計結果に基づいて、ターミナル管理者はゲート２，４の稼動状況を正確に把握することができるので、適切なゲート運営を行うことができる。
【００４６】
なお、本発明は、上記実施の形態の構成に限られず、種々の変形が可能である。例えば、各時間情報の取得方法は、上記実施形態の構成に限らない。また、コンテナ輸送機はトラックＴに限られず、荷役装置はガントリクレーン６，大型フォークリフト７に限られない。
【図面の簡単な説明】
【００４７】
【図１】本発明のプログラムが利用されるコンテナターミナルの説明図。
【図２】同ターミナルのコンテナ管理システムの構成を示す図。
【図３】同ターミナルの各作業プロセス及び各作業端末から入力されるデータの説明図。
【図４】同コンテナ管理システムのホストコンピュータにより作成されるログファイルを示す図。
【図５】同ホストコンピュータに接続される管理者端末の構成を示す図。
【図６】本発明のプログラムを実行した際に表示されるメニュー画面を示す図。
【図７】集計メニューが選択された場合の処理を示すフローチャート。
【図８】集計結果読み込みメニューが選択された場合の処理を示すフローチャート。
【図９】ゲート能力集計手順を示すフローチャート。
【図１０】ゲート処理能力の集計結果の表示画面を示す図。
【図１１】ヤード能力集計手順を示すフローチャート。
【図１２】ヤード処理能力の集計結果の表示画面を示す図。
【図１３】ターミナル作業時間集計手順を示すフローチャート。
【図１４】ターミナル作業時間及びゲート稼働時間の集計結果の表示画面を示す図。
【図１５】ゲート稼働時間集計手順を示すフローチャート。
【図１６】ゲート生産性集計手順を示すフローチャート。
【図１７】ゲート生産性の集計結果の表示画面を示す図。
【符号の説明】
【００４８】
１    コンテナターミナル      
２    入口ゲート
３    ヤード
４    出口ゲート
６    ガントリクレーン（荷役装置）
７    大型フォークリフト（荷役装置）
２０    入場受付
４０    退場受付
５０    ホストコンピュータ
５１    管理者端末（端末のコンピュータ）
５２    プリンタ（出力手段）
６５    表示部（出力手段）
１００  ログファイル
１０１  入口ゲートのレーン番号
１０２  荷役作業の種類
１０６  出口ゲートのレーン番号
Ｃ  コンテナ
Ｃ１  実コンテナ
Ｃ２  空コンテナ
Ｔ  トラック（コンテナ輸送機）
ｔａ    入場受付作業の開始日時
ｔｂ    入場受付作業の終了時刻
ｔｃ    荷役作業の終了時刻
ｔｄ    退場受付作業の開始時刻
ｔｅ    退場受付作業の終了時刻
【図１】
2005060077.tif 000003
【図２】
2005060077.tif 000004
【図３】
2005060077.tif 000005
【図４】
2005060077.tif 000006
【図５】
2005060077.tif 000007
【図６】
2005060077.tif 000008
【図７】
2005060077.tif 000009
【図８】
2005060077.tif 000010
【図９】
2005060077.tif 000011
【図１０】
2005060077.tif 000012
【図１１】
2005060077.tif 000013
【図１２】
2005060077.tif 000014
【図１３】
2005060077.tif 000015
【図１４】
2005060077.tif 000016
【図１５】
2005060077.tif 000017
【図１６】
2005060077.tif 000018
【図１７】
2005060077.tif 000019